【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
自動閉鎖体を有する自動閉鎖アッセンブリであって、該自動閉鎖アッセンブリは、
互いに運動可能に係合可能な本体及びカバーと、
互いに相互係止する第１相互係止アッセンブリ及び第２相互係止アッセンブリを含む閉鎖機構と、を含み、前記互いに相互係止する第１相互係止アッセンブリ及び第２相互係止アッセンブリの一方の相互係止アッセンブリは、前記本体又は前記カバーの一方の部分であり、前記互いに相互係止する第１相互係止アッセンブリ及び第２相互係止アッセンブリの他方の相互係止アッセンブリは、前記本体又は前記カバーの他方の部分であり、前記本体及び前記カバーは各々、少なくとも１対の互いに引力を及ぼす又は斥力を及ぼすエレメントの少なくとも１つの部材を更に含み、前記互いに引力を及ぼす又は斥力を及ぼすエレメントは、前記本体及び前記カバーが互いに近づけられたときに前記本体及び前記カバーを互いに引き寄せ、前記本体及び前記カバーを係止整合状態に移動させるように夫々前記本体及び前記カバー上に位置決めされている、ことを特徴とする自動閉鎖アッセンブリ。
【請求項２】
前記本体及び前記カバーを互いに係合させる運動は、直線運動である、ことを特徴とする請求項１に記載の自動閉鎖アッセンブリ。
【請求項３】
前記互いに引力を及ぼす又は斥力を及ぼすエレメントは、２つの平行な列に配置されている、ことを特徴とする請求項１又は２に記載の自動閉鎖アッセンブリ。
【請求項４】
前記本体及び前記カバーを互いに係合させる運動は、回転運動である、ことを特徴とする請求項１に記載の自動閉鎖アッセンブリ。
【請求項５】
前記本体及び前記カバーは各々、円形区分を有し、該円形区分の軸線がほぼ整合した状態で互いに回転可能であり、前記第１の相互係止アッセンブリは、部分をなす前記カバー又は前記本体の円形区分に対して所定の半径方向寸法を有する少なくとも１つの第１相互係止ピースを含み、
前記第２相互係止アッセンブリは、部分をなす前記本体又はカバーの円形区分に対して所定の半径方向寸法を有する少なくとも１つの第２相互係止ピースを含み、
前記第１相互係止ピース及び前記第２相互係止ピースは、前記第１相互係止ピースの半径方向延長部分が、ほぼ最大係合のほぼ軸線方向位置で前記第２相互係止ピースの半径方向延長部分に係合可能であり、前記第１相互係止ピース及び前記第２相互係止ピースの係合が更に所定のほぼ回転係合位置を構成するように、夫々前記第１相互係止アッセンブリ及び前記第２相互係止アッセンブリ上に位置決めされており、
前記互いに引力を及ぼす又は斥力を及ぼすエレメントは更に、前記カバー及び前記本体が、係合時に互いに最も近付いた位置に達したときに、前記第１の相互係止ピース及び前記第２の相互係止ピースの前記ほぼ回転係合位置で相対的に角度的に位置決めされるように夫々前記本体及び前記カバー上に位置決めされている、ことを特徴とする自動閉鎖アッセンブリ。
【請求項６】
前記第１の相互係止アッセンブリは、前記円形区分のまわりに少なくとも部分的に円周方向に延びる少なくとも１つの傾斜部をさらに含み、前記傾斜部は、前記第２の相互係止アッセンブリを受け入れる前記第１の相互係止アッセンブリの端部であって、その頂部と考えられる端部と近接した位置から、前記頂部に対して前記第１相互係止ピースの下方の所定の位置まで傾斜している、ことを特徴とする請求項４に記載の自動閉鎖アッセンブリ。
【請求項７】
前記第１相互係止ピースは、全体に逆円セグメントとして形成されており、前記頂部に対して前記逆円セグメントの下面は、前記頂部に対して比較的平らなほぼ水平区分を設けることによって、一部が円からずれており、前記頂部に対し前記逆円セグメントの上面は、前記頂部に対して下方に傾斜しており、かつ／又は、
前記第２相互係止ピースは、全体として、円筒形のピンとして形成されており、かつ／又は、
前記第２相互係止アッセンブリは、更に、前記第２相互係止アッセンブリが取り付けられた前記本体又は前記カバーの前記円形区分と同心の全体に円形形状のガイドリップを含み、前記ガイドリップは、前記本体又は前記カバーのうちの他方の前記円形区分内に又は外に嵌着するような直径を有する、ことを特徴とする請求項４に記載の自動閉鎖アッセンブリ。
【請求項８】
前記互いに引力又は斥力を及ぼすエレメントは少なくとも１つの磁石を含む、ことを特徴とする請求項１乃至７のいずれか１項に記載の自動閉鎖アッセンブリ。
【請求項９】
前記少なくとも１つの磁石は、前記本体及び前記カバーの一方に設けられた少なくとも１つの磁石、又は磁石に磁気的引き付けられるエレメントと、前記本体及び前記カバーの他方に設けられた少なくとも１つの互いに引力を及ぼす磁石とを含む、ことを特徴とする請求項８に記載の自動閉鎖アッセンブリ。
【請求項１０】
前記磁石は、前記カバー及び前記本体の各々に設けられた互いに引力を及ぼす複数の磁石対を含み、前記第１及び第２の相互係止アッセンブリは、追加の磁石対の各々と対応する、対応する追加の第１及び第２の相互係止ピースを夫々含み、前記第１及び第２の相互係止ピースの夫々の対の係合は、ほぼ回転的に一致し、前記磁石対の各々は、前記第１及び第２の相互係止ピースの前記ほぼ回転係合位置で互いにほぼ回転整合している、ことを特徴とする請求項８又は９に記載の自動閉鎖アッセンブリ。
【請求項１１】
前記互いに引力を及ぼす磁石の対と同数の、斥力を及ぼすように配向された多数の磁石を更に含み、前記斥力を及ぼすように配向された磁石は、前記カバー又は前記本体に設けられた前記互いに引力を及ぼす磁石と交互の位置に配置されており、前記斥力を及ぼすように配向された磁石の各々は、前記第１及び第２相互係止ピースの前記ほぼ回転係合位置で、前記カバー又は前記ベースのうちの他方に設けられた前記少なくとも１つの引力を及ぼす磁石と最も不整合のほぼ相互回転位置にある、ことを特徴とする請求項９に記載の自動閉鎖アッセンブリ。
【請求項１２】
前記自動閉鎖アッセンブリは、自動閉鎖容器であり、前記カバーは、前記本体と係合可能であるように形状決めされ、前記本体と係合するときに回転可能である蓋であり、前記蓋は、以下に列挙するエレメントの配向を決定する目的のため、前記本体の上方にあるものと考えられ、
相互係止アッセンブリは、前記本体に固定的に配置された少なくとも１つの第１相互係止ピースと、前記蓋に固定的に配置された少なくとも１つの第２相互係止ピースであって、前記蓋に位置決めされており、前記蓋を前記本体上に置いて前記本体に対して回転したときに前記第１相互係止ピースと回転係合する形状を備えており、前記回転係合は、回転に関して定義された相互係止係合領域を有し、前記相互係止係合領域内で、前記第２相互係止ピースの相互係止部分が、前記第１相互係止ピースの相互係止部分に当たった状態で、前記第１相互係止ピースの前記相互係止部分の下に配置される、第２相互係止ピースと、を含み、前記対になった互いに引力を及ぼす又は斥力を及ぼすエレメントの向き合ったエレメントは、夫々、前記本体及び前記蓋上に配置され、前記蓋を前記本体に対して回転したときに互いに対して最強の引力又は斥力を及ぼす位置が、前記相互係止係合領域に位置決めされた場合の前記蓋及び前記本体の回転位置とほぼ対応するように前記本体及び前記蓋に位置決めされ
前記本体には、少なくとも１つの傾斜部が形成されており、このような傾斜部の各々は、前記少なくとも１つの第１相互係止ピースの各々と対応し、前記蓋の方向に対して傾斜しており、前記相互係止係合領域の方向に傾斜しており、前記蓋が、前記第２相互係止ピースが前記傾斜部の一部に前記傾斜部の上方から近づく回転位置から引き込まれ、前記本体に押し付けるとき、前記第２相互係止ピースを上方から受け入れるように前記本体に位置決めされており、前記第１相互係止ピースの上面及び前記第２相互係止ピースの下面は、各々、
（ａ）前記蓋及び前記本体が更にぴったりと係合する方向と対応する方向に前記上面及び前記下面が互いに摺動可能であり、前記蓋の前記本体に対する閉鎖中に前記上面及び前記下面が互いに接触するように、及び
（ｂ）前記第１相互係止ピース及び前記第２相互係止ピースが、別の相対的回転位置で摺動自在に摺動した状態から外れ、互いに接触した状態から外れ、前記傾斜部の上方で前記蓋及び前記本体を圧縮するように形成されている、ことを特徴とする請求項１に記載の自動閉鎖アッセンブリ。
【請求項１３】
回転する自動閉鎖体が燃料タンクと組み合わされている、ことを特徴とする請求項１乃至１２のいずれか１項に記載の自動閉鎖アッセンブリ。
【請求項１４】
前記本体を前記カバーとの係合から外すことは、通常の貯蔵及び取り扱いから生じる力及び運動とは異なる力及び運動を必要とすることを特徴とする請求項１乃至１３のいずれか１項に記載の自動閉鎖アッセンブリ。
【請求項１５】
前記本体と前記カバーの間には、固体、液体、及び／又は気体シールが設けられている、ことを特徴とする請求項１乃至１４のいずれか１項に記載の自動閉鎖アッセンブリ。